(57)【要約】【課題】空調制御における風量測定が、より正確により容易に実施できるようにする。【解決手段】差圧測定部１０１には、切替部１０２が接続し、切替部１０２には圧力導入管１１１ａ、圧力導入管１１１ｂが接続している。切替部１０２は、圧力導入管１１１ａおよび差圧測定部１０１の接続と、圧力導入管１１１ｂおよび差圧測定部１０１の接続を切り替える。差圧測定部１０１は、切替部１０２により接続が切り替えられた圧力導入管１１１ａおよび圧力導入管１１１ｂのいずれかに導かれた圧力と部屋１２１における圧力との差を検出する。【選択図】  図１
2018054533.tif 000002
【特許請求の範囲】
【請求項１】
空調対象の部屋の複数の給排気部の各々に設けられた各制気口の前段に圧力導入口が設けられた複数の圧力導入管と、
複数の前記圧力導入管のいずれかに導かれた圧力と前記部屋における圧力との差を検出する差圧測定部と、
複数の前記圧力導入管と前記差圧測定部との接続を切替える切替部と、
前記差圧測定部が測定した圧力差をもとに圧力差の測定で接続されている前記圧力導入管の前記圧力導入口が設けられている前記制気口を通過する風量を求める風量算出部と
を備えることを特徴とする風量測定装置。
【請求項２】
請求項１記載の風量測定装置において、
前記差圧測定部は、傾斜マノメータから構成されていることを特徴とする風量測定装置。
【発明の詳細な説明】
【技術分野】
【０００１】
本発明は、建物の空調設備における風量を測定する風量測定装置に関する。
【背景技術】
【０００２】
空気調和のための空調設備においては、風量を測定して制御することが重要である。このような風量の測定においては、例えば風量測定部をダクトに設けた風量調整装置の上流側に設けた風量測定部で実施されている（特許文献１参照）。
【０００３】
しかしながら、温度・湿度などを調整した空気を移送するダクトは、曲がりや分岐が多く、直管がほとんどない上に、ダンパなどの障害物が多い。このため、ダクトにおける風量測定では、空調対象の部屋に実際に供給される空調空気の正確な風量が計測できず、正確な制御が実施できない。
【０００４】
これに対し、集風フードで天井の制気口からの吹き出し空気を集め、集風フードに連続するセンサーフード内に配置したセンサーにより風量を計測する装置が開発されている（特許文献２参照）。制気口からの吹き出し空気を集めて風量を測定する技術では、空調対象の部屋に実際に供給される空調空気の正確な風量の測定が可能となる。
【先行技術文献】
【特許文献】
【０００５】
【特許文献１】特開２０１１−１２２７９５号公報
【特許文献２】特開２００４−２５７８４２号公報
【発明の概要】
【発明が解決しようとする課題】
【０００６】
しかしながら、上述した技術では、制気口下に測定のための領域確保が必要となり、また、測定のための装置配置などが容易ではなく、測定に大きな手間がかかる。このため、部屋内にある複数の制気口における風量を測定する場合、非常に大きな手間を要するという問題があった。
【０００７】
本発明は、以上のような問題点を解消するためになされたものであり、空調制御における風量測定が、より正確により容易に実施できるようにすることを目的とする。
【課題を解決するための手段】
【０００８】
本発明に係る風量測定装置は、空調対象の部屋の複数の給排気部の各々に設けられた各制気口の前段に圧力導入口が設けられた複数の圧力導入管と、複数の圧力導入管のいずれかに導かれた圧力と部屋における圧力との差を検出する差圧測定部と、複数の圧力導入管と差圧測定部との接続を切り替える切替部と、差圧測定部が測定した圧力差をもとに圧力差の測定で接続されている圧力導入管の圧力導入口が設けられている制気口を通過する風量を求める風量算出部とを備えることを特徴とする風量測定装置。
【０００９】
上記風量測定装置において、差圧測定部は、傾斜マノメータから構成されているとよい。
【発明の効果】
【００１０】
以上説明したことにより、本発明によれば、空調制御における風量測定が、より正確により容易に実施できるという優れた効果が得られる。
【図面の簡単な説明】
【００１１】
【図１】図１は、本発明の実施の形態における風量測定装置の構成を示す構成図である。
【発明を実施するための形態】
【００１２】
以下、本発明の実施の形態について図１を参照して説明する。図１は、本発明の実施の形態における風量測定装置の構成を示す構成図である。この風量測定装置は、差圧測定部１０１、切替部１０２、風量算出部１０３を備える。なお、以下の説明では、空調対象の部屋１２１に２つの制気口が設けられている場合を例に説明するが、これに限るものではなく、１つの部屋に３つ以上の制気口が設けられている場合についても同様である。
【００１３】
差圧測定部１０１には、切替部１０２が接続し、切替部１０２には圧力導入管１１１ａ、圧力導入管１１１ｂが接続している。切替部１０２は、圧力導入管１１１ａおよび差圧測定部１０１の接続と、圧力導入管１１１ｂおよび差圧測定部１０１の接続を切り替える。切替部１０２は、例えば、圧力切り替えコックである。
【００１４】
圧力導入管１１１ａの圧力導入口１１２ａは、空調対象の部屋１２１の給気部（給排気部）１２２ａに設けられた制気口１２３ａの前段に設けられている。また、圧力導入管１１１ｂの圧力導入口１１２ｂは、部屋１２１の給気部（給排気部）１２２ｂに設けられた制気口１２３ｂの前段に設けられている。制気口１２３ａ，制気口１２３ｂは、例えば、アネモスタットなどの空調用ディフューザーである。各圧力導入口は、対応する制気口の構造体上面に配置すればよい。また、圧力導入管は、例えば、高分子材料から構成されたチューブや、金属製の配管から構成されている。
【００１５】
ここで、部屋１２１の天井裏領域１３１には、図示していない室内機に接続されているダクト１３２ａ，１３２ｂ、ダクト１３２ａ，１３２ｂに接続されたチャンバーボックス１３３ａ，１３３ｂが配置されている。ダクト１３２ａで移送された空調空気は、チャンバーボックス１３３ａを経て、給気部１２２ａに設けられた制気口１２３ａを通過して部屋１２１に供給される。また、ダクト１３２ｂで移送された空調空気は、チャンバーボックス１３３ｂを経て、給気部１２２ｂに設けられた制気口１２３ｂを通過して部屋１２１に供給される。
【００１６】
差圧測定部１０１は、切替部１０２により接続が切り替えられた圧力導入管１１１ａおよび圧力導入管１１１ｂのいずれかに導かれた圧力と部屋１２１における圧力との差を検出する。このようにして差圧測定部１０１が測定した圧力差をもとに、風量算出部１０３が、差圧測定部１０１に接続されているいずれかの圧力導入管の圧力導入口が設けられているいずれかの制気口を通過する風量を求める。差圧測定部１０１は、例えば、傾斜管マノメータから構成されたものであればよい。傾斜管マノメータは、圧力差が小さい状態において感度が高い差圧計であり、低風量で圧力差が小さい状態における測定に好適である。風量算出部１０２は、例えば、空調用コントローラである。
【００１７】
例えば、差圧測定部１０１に切替部１０２を経由して圧力導入管１１１ａが接続されている場合、制気口１２３ａの前後の差圧が差圧測定部１０１で測定されることになり、風量算出部１０３は、制気口１２３ａを通過する風量を求めることになる。一方、差圧測定部１０１に切替部１０２を経由して圧力導入管１１１ｂが接続されている場合、制気口１２３ｂの前後の差圧が差圧測定部１０１で測定されることになり、風量算出部１０３は、制気口１２３ｂを通過する風量を求めることになる。
【００１８】
よく知られているように、オリフィスなどの絞り部の前後の圧力差を用い、流量＝ｋ（圧力差）1/2［ｋは定数］により、絞り部を通過する風量を求めることができる。発明者らの鋭意の検討の結果、制気口が上記絞り部と同様の効果を発現し、制気口の前後の圧力差により上記同様に制気口を通過する風量が求められるという知見を得るに至った。定数ｋは、用いられている制気口に対応させ、他の手段で測定した風量と測定される圧力差との関係より予め求めておけばよい。
【００１９】
実施の形態によれば、制気口の前後の圧力差をもとに制気口を通過する風量を求めるようにしたので、制気口より空調対象の部屋に実際に供給される空調空気の風量が正確に求められるようになる。また、複数の制気口の風量が、一組の差圧測定部および風量算出部により求められるので、測定の手間が低減されるようになる。また、風量測定は、ダクト内に組み込む装置を用いるものではないので、空調設備が設置された後であっても実施できる。このように、実施の形態によれば、空調制御における風量測定が、より正確により容易に実施できるようになる。
【００２０】
なお、本発明は以上に説明した実施の形態に限定されるものではなく、本発明の技術的思想内で、当分野において通常の知識を有する者により、多くの変形および組み合わせが実施可能であることは明白である。
【００２１】
例えば、上述では、部屋に対して導入される空調空気の風量を測定する場合を例に説明したが、これに限るものではない。部屋に設けられた排気部より排出される空気の風量を測定する場合についても同様である。例えば、排気部に設けられている制気口の前後の圧力差をもとに、前述同様に制気口を通過する風量を求めるようにすればよい。
【００２２】
また、上述では、部屋の上部天井裏にダクトなどが配置され、天井部に制気口が配置されている場合を例に説明したが、これに限るものではない。例えば、制気口が、部屋の側部、部屋の床部に設けられている場合についても同様である。
【符号の説明】
【００２３】
１０１…差圧測定部、１０２…切替部、１０３…風量算出部、１１１ａ，１１１ｂ…圧力導入管、１１２ａ，１１２ｂ…圧力導入口、１２１…部屋、１２２ａ，１２２ｂ…給気部（給排気部）、１２３ａ，１２３ｂ…制気口、１３１…天井裏領域、１３２ａ，１３２ｂ…ダクト、１３３ａ，１３３ｂ…チャンバーボックス。
【図１】
2018054533.tif 000003